(57)【要約】  【課題】商品を冷却／加温貯蔵する自動販売機に関し、商品搬出口を往復動で閉塞／開放する商品搬出扉を用いて断熱することにより断熱性能を高める。  【解決手段】断熱箱体１３内でレール３１により開口部１４に対して垂直方向に往復動自在に保持され商品搬出口２７、２８、２９を開放／閉塞する商品搬出扉３２と、レール３１に設けたギア部３０と、ギア部３０と歯合するギア３３と、ギア３３を駆動するモーター３４と、開口部１４を全て閉塞する外扉２０と、外扉２０に設け内扉１９と外扉２０の間の空間と断熱箱体１３外を連通する商品取り出し口３７と、商品シュート２２の動作に連動してモーター３４を動作させる制御手段３５とから構成することにより商品搬出口２７、２８、２９での断熱性能を高くすることができる。【選択図】図２
2006163778.tif 000002
【特許請求の範囲】
【請求項１】
前面に開口部を設け内部に商品を収納する商品収納室を備えた断熱箱体と、断熱部材により構成され前記開口部の少なくとも一部を閉塞する内扉と、前記内扉に設け前記断熱箱体内と前記断熱箱体外を連通する商品搬出口と、前記断熱箱体内に収納され前記商品収納室内に収納された商品を前記商品搬出口から前記断熱箱体外へと搬出する商品搬出装置と、前記断熱箱体内に収納され前記商品収納室内の商品を冷却または加温する冷却／加温手段と、前記断熱箱体内で前記開口部に対して前後方向に往復動自在に保持され前記商品搬出口を開放／閉塞する商品搬出扉と、前記商品搬出扉を開閉動作する開閉手段と、前記内扉の前方に備えた外扉とを備え、前記内扉と前記外扉の間の空間部を前記開閉手段によって前記商品搬出扉が移動することを特徴とする自動販売機。
【請求項２】
断熱箱体内でレールにより保持され商品搬出口を開放／閉塞する商品搬出扉と、前記レールに設けたギア部と、前記ギア部と歯合するギアと、商品収納室内で且つ前期商品搬出口の幅よりも外側に設け前記ギアを駆動するモーターと、前記商品搬出装置の動作に連動して前記モーターを動作させる制御手段とからなる請求項１に記載の自動販売機。
【請求項３】
商品搬出扉は断熱性部材で形成したことを特徴とする請求項１または２に記載の自動販売機。
【請求項４】
商品搬出口の下辺を断熱箱体の内側から外側に向かって下方向に傾斜させた請求項１から３のいずれか一項に記載の自動販売機。
【請求項５】
商品搬出扉が閉じている時には前記商品搬出扉と内扉が密着することにより商品搬出口を閉塞し、前記商品搬出扉が開いている時には前記商品搬出扉と外扉が密着することにより商品取り出し口を閉塞する請求項１から４のいずれか一項に記載の自動販売機。
【請求項６】
商品搬出扉を商品搬出口の面積よりも大きい面積とし、前記商品搬出扉の端面を内扉側が広くなるように面取りした請求項１から５のいずれか一項に記載の自動販売機。
【請求項７】
商品搬出扉の内扉側に前記商品搬出扉が閉じている時に内扉と密着するガスケットを設けた請求項６に記載の自動販売機。
【請求項８】
商品取り出し口に開閉自在に設けた商品取り出し扉と、前記商品取り出し扉の開閉を検出する開閉検出手段と、前記開閉検出手段が前記商品取り出し扉の開いたことを検出した時にモーターを駆動する電力を遮断する電力遮断手段を備えた請求項１から７のいずれか一項に記載の自動販売機。
【請求項９】
断熱箱体内に備えた仕切りと、前記仕切りにより仕切られた全て同じ温度または異なる温度に商品を冷却／加温貯蔵する複数の商品収納室と、内扉の複数の前記収納室に対応する位置に設けた複数の商品搬出口とを備え、全ての前記商品搬出口を一つの商品搬出扉で閉塞する請求項１から８のいずれか一項に記載の自動販売機。
【発明の詳細な説明】
【技術分野】
【０００１】
本発明は、商品収納室の断熱性能を改善することにより消費電力量を低減できる自動販売機に関する物である。
【背景技術】
【０００２】
近年、環境保護が叫ばれる中、自動販売機業界においてもトップランナー制の導入などに伴い機器の省エネルギー化が進んでいる。
【０００３】
自動販売機は商品を確実に販売することが必要であり、そのために商品を搬出する経路はその構造上断熱を強化することが難しく、商品搬出経路が熱ロスの大きな部分を占めている（例えば、特許文献１参照）。
【０００４】
従って商品搬出経路からの熱ロスを低減することが消費電力量低減の大きな手段となる。
【０００５】
以下、図面を参照しながら上記従来の自動販売機を説明する。
【０００６】
図３は従来の自動販売機の商品取り出し口付近の縦断面図である。図３に示すように、従来の自動販売機は断熱箱体１と、断熱箱体１前面に備えた内扉２と、断熱箱体１内に収納される商品ラック３と、商品ラック３の下方に配設された商品シュート４と、内扉２に開口する商品搬出口５と、商品搬出口５を開閉するように上端部をピン６を介して内扉２に支持された内フラッパ７と、断熱箱体１の前面に設けた外扉８と、外扉８の前面に開口する商品取り出し口９と、商品取り出し口９を開閉するように上端部をピン１０を介して外扉８に支持された外フラッパ１１と、外扉に備え、商品搬出口５から搬出された商品を一時貯留する商品受け１２から構成されている。
【０００７】
以上のように構成された自動販売機について、以下その動作を説明する。
【０００８】
販売待機時、内フラッパ７は自重により商品搬出口５を閉塞する位置に保持されている。
【０００９】
また、内フラッパ７と内扉２のシール性を高めるため、商品搬出口５の内フラッパ７とのシール面は商品搬出口５の下端が上端よりも内フラッパ７側に若干傾斜して構成されている。
【００１０】
一方商品販売時には、商品ラック３に収納されている商品が商品搬出装置（図示せず）により１本ずつ商品シュート４に落下し、商品シュート４の傾斜に伴い商品搬出口５へと転がる。
【００１１】
そして商品搬出口５へと到達した商品は自重により内フラッパ７を押し開け商品受け１２へと送出される。
【００１２】
この時、内フラッパ７は、その重さが軽すぎると商品を冷却／加温するためのファン（図示せず）の風により開いてしまい、販売待機時に商品搬出口５を十分にシールすることができず、商品搬出口５からの熱ロスが増大し、消費電力量が増大してしまう。
【００１３】
また、内フラッパ７が重すぎると商品販売時に商品シュート４から送出された商品が内フラッパ７を押し開けることができず、商品が搬出されないという不具合が生じる。
【００１４】
従って、内フラッパ７は重すぎても軽すぎてもその機能を果たせず、適当な重さに定められている。
【特許文献１】特開平７−６２５２号公報
【発明の開示】
【発明が解決しようとする課題】
【００１５】
しかしながら、上記従来の構成では、内フラッパ７をピン６により開閉する構成としているため、内フラッパ７の厚さを内扉２と同等とした時には内フラッパ７が開閉動作する際に内フラッパ７のピン６と反対側が商品搬出口５と干渉してしまい、内フラッパ７を内扉２の厚みに対して薄くするか商品搬出口５に対して小さくしないと開閉動作をすることができない。
【００１６】
従来の自動販売機においては、内フラッパ７の厚さを内扉２の厚さに対して薄くすることにより開閉動作が可能となるようにしている。
【００１７】
従って、内扉２に対して内フラッパ７部では厚さが薄いことにより断熱性能が悪くなり、内フラッパ７からの熱ロスが大きくなり、消費電力量が増加してしまう恐れがあった。
【００１８】
本発明は、上記従来の課題を解決するもので、内フラッパ７からの熱ロスを低減し、効率の高い自動販売機を提供することを目的とする。
【００１９】
また、上記従来の構成では、内フラッパ７の重さを重くすることができず、内フラッパ７の材料は、比較的軽い材料となっており、断熱性能の高い比較的重い材料を使用することはできず、内フラッパ７からの熱ロスが大きくなり、消費電力量が増加してしまう恐れがあった。
【００２０】
本発明の他の目的は、内フラッパ７を断熱性能の高い比較的重い材料を用いても商品を確実に搬出することができ、効率の高い自動販売機を提供することである。
【課題を解決するための手段】
【００２１】
上記従来の課題を解決するために、本発明の自動販売機は、前面に開口部を設け内部に商品を収納する商品収納室を備えた断熱箱体と、断熱部材により構成され開口部の少なくとも一部を閉塞する内扉と、内扉に設け断熱箱体内と断熱箱体外を連通する商品搬出口と、断熱箱体内に収納され商品収納室内に収納された商品を商品搬出口から断熱箱体外へと搬出する商品搬出装置と、断熱箱体内に収納され商品収納室内の商品を冷却または加温する冷却／加温手段と、断熱箱体内で開口部に対して垂直方向に往復動自在に保持され商品搬出口を開放／閉塞する商品搬出扉と、商品搬出扉を開閉する開閉手段と、開口部を全て閉塞する外扉と、外扉に設け内扉と外扉の間の空間と断熱箱体外を連通する商品取り出し口と、商品搬出装置の動作に連動して開閉手段を動作させる制御手段とから構成したものである。
【００２２】
これによって、商品搬出扉は商品搬出口に対して垂直に動作するため、動作によって商品搬出口と干渉することはなく商品搬出扉の厚さを内扉と同じ厚さとすることができ、商品搬出扉で断熱性能が低下することはない。
【００２３】
また、本発明の自動販売機は、断熱箱体内でレールにより保持され商品搬出口を開放／閉塞する商品搬出扉と、レールに設けたギア部と、ギア部と歯合するギアと、商品収納室内で且つ前期商品搬出口の幅よりも外側に設けギアを駆動するモーターと、商品搬出装置の動作に連動してモーターを動作させる制御手段とから構成したものである。
【００２４】
これによって、商品搬出扉を駆動するモーターは商品搬出経路の外側にあり、商品が搬出される際に商品がモーターに当たることはなく、商品の搬出を邪魔することはない。
【００２５】
また、本発明の自動販売機は、商品搬出扉の材料を断熱性の材料とする構成としたものである。
【００２６】
これによって、商品搬出扉の断熱性能を高くすることができ、商品搬出扉での断熱性能が低下することはない。
【００２７】
また、本発明の自動販売機は、商品搬出口の下辺を断熱箱体の内側から外側に向かって下方向に傾斜させた構成としたものである。
【００２８】
これによって、商品は商品搬出口で止まることなくスムーズに商品を搬出することができる。
【００２９】
また、本発明の自動販売機は、商品搬出扉が閉じている時には商品搬出扉と内扉が密着することにより商品搬出口を閉塞し、商品搬出扉が開いている時には商品搬出扉と外扉が密着することにより商品取り出し口を閉塞する構成としたものである。
【００３０】
これによって、販売待機時には商品搬出扉と内扉が密着しており、商品販売時には、商品搬出扉と外扉が密着していることにより商品取り出し口が閉塞しており常に商品取り出し口から収納室内へ手を入れることはできない。
【００３１】
また、本発明の自動販売機は、商品搬出扉を商品搬出口の面積よりも大きい面積とし、前記商品搬出扉の端面を内扉側が広くなるように面取りした構成としたものである。
【００３２】
これによって、商品搬出扉端部に引っかかりが無く、販売待機時に商品搬出扉端部に指などを引っかけて商品搬出扉を開くことはできない。
【００３３】
また、本発明の自動販売機は、商品搬出扉の内扉側に商品搬出扉が閉じている時に内扉と密着するガスケットを設けたものである。
【００３４】
これによって、商品搬出扉と商品搬出口のシール部にすき間が無くなり商品搬出扉と商品搬出口のシール部のすき間からの熱ロスを低減することができる。
【００３５】
また、本発明の自動販売機は、商品取り出し口に開閉自在に設けた商品取り出し扉と、商品取り出し扉の開閉を検出する開閉検出手段と、開閉検出手段が商品取り出し扉の開いたことを検出した時にモーターを駆動する電力を遮断する電力遮断手段を備えたものである。
【００３６】
これによって、商品販売時に商品取り出し口から手が入れられているときにも、商品取り出し扉が開いていることを検出して商品搬出扉を開くモーターへの通電を遮断することにより商品搬出扉が開き、商品搬出扉と外扉の間に指や手を挟むことはない。
【００３７】
また、本発明の自動販売機は、断熱箱体内に備えた仕切りと、仕切りにより仕切られた全て同じ温度または異なる温度に商品を冷却／加温貯蔵する複数の商品収納室と、内扉の複数の収納室に対応する位置に設けた複数の商品搬出口とを備え、全ての商品搬出口を一つの商品搬出扉で閉塞する構成としたものである。
【００３８】
これによって、商品収納室ごとに商品搬出扉、レール、ギア、モーターを備える必要が無く、商品搬出扉を安価で簡単に構成することができる。
【発明の効果】
【００３９】
本発明の自動販売機は、熱ロスが少なく効率の高い自動販売機とすることができる。
【発明を実施するための最良の形態】
【００４０】
請求項１に記載の発明は、前面に開口部を設け内部に商品を収納する商品収納室を備えた断熱箱体と、断熱部材により構成され開口部の少なくとも一部を閉塞する内扉と、内扉に設け断熱箱体内と断熱箱体外を連通する商品搬出口と、断熱箱体内に収納され商品収納室内に収納された商品を商品搬出口から断熱箱体外へと搬出する商品搬出装置と、断熱箱体内に収納され商品収納室内の商品を冷却または加温する冷却／加温手段と、断熱箱体内で開口部に対して前後方向に往復動自在に保持され商品搬出口を開放／閉塞する商品搬出扉と、商品搬出扉を開閉する開閉手段と、前記内扉の前方に備えた外扉とを備え、内扉と外扉の間の空間部を前記開閉手段によって前記商品搬出扉が移動することにより、商品搬出扉は商品搬出口に対して垂直に動作するため、動作によって商品搬出口と干渉することはなく商品搬出扉の厚さを内扉と同じ厚さとすることができ、商品搬出扉で断熱性能が低下することはなく、効率の高い自動販売機とすることができる。
【００４１】
請求項２に記載の発明は、断熱箱体内でレールにより保持され商品搬出口を開放／閉塞する商品搬出扉と、レールに設けたギア部と、ギア部と歯合するギアと、商品収納室内で且つ前期商品搬出口の幅よりも外側に設けギアを駆動するモーターと、商品搬出装置の動作に連動してモーターを動作させる制御手段とから構成されているので、商品搬出扉を駆動するモーターは商品搬出経路の外側にあり、商品の搬出を邪魔することはなく、商品搬出の信頼性の高い自動販売機とすることができる。
【００４２】
請求項３に記載の発明は、商品搬出扉は断熱性部材で形成したことを特徴とすることにより、商品搬出扉の断熱性能を高くすることができ、商品搬出扉での断熱性能が低下することはなく、効率の高い自動販売機とすることができる。
【００４３】
請求項４に記載の発明は、商品搬出口の下辺を断熱箱体の内側から外側に向かって下方向に傾斜させたことにより、商品は商品搬出口で止まることなくスムーズに商品を搬出することができ、商品搬出の信頼性の高い自動販売機とすることができる。
【００４４】
請求項５に記載の発明は、商品搬出扉が閉じている時には商品搬出扉と内扉が密着することにより商品搬出口を閉塞し、商品搬出扉が開いている時には商品搬出扉と外扉が密着することにより商品取り出し口を閉塞する構成とすることにより、販売待機時には商品搬出扉と内扉が密着しており、商品販売時には、商品搬出扉と外扉が密着していることにより商品取り出し口が閉塞しており常に商品取り出し口から収納室内へ手を入れることはできないため、安全性及び防盗性の高い自動販売機とすることができる。
【００４５】
請求項６に記載の発明は、商品搬出扉を商品搬出口の面積よりも大きい面積とし、商品搬出扉の端面を内扉側が広くなるように面取りしたことにより、商品搬出扉端部に引っかかりが無く、販売待機時に商品搬出扉端部に指などを引っかけて商品搬出扉を開くことはできないため、防盗性の高い自動販売機とすることができる。
【００４６】
請求項７に記載の発明は、商品搬出扉の内扉側に商品搬出扉が閉じている時に内扉と密着するガスケットを設けたことにより、商品搬出扉と商品搬出口のシール部にすき間が無くなり商品搬出扉と商品搬出口のシール部のすき間からの熱ロスを低減することができ、効率の高い自動販売機とすることができる。
【００４７】
請求項８に記載の発明は、商品取り出し口に開閉自在に設けた商品取り出し扉と、商品取り出し扉の開閉を検出する開閉検出手段と、開閉検出手段が商品取り出し扉の開いたことを検出した時にモーターを駆動する電力を遮断する電力遮断手段を備えたことにより、商品販売時に商品取り出し口から手が入れられているときにも、商品取り出し扉が開いていることを検出して商品搬出扉を開くモーターへの通電を遮断することにより商品搬出扉が開き、商品搬出扉と外扉の間に指や手を挟むことはなく、安全性の高い自動販売機とすることができる。
【００４８】
請求項９に記載の発明は、断熱箱体内に備えた仕切りと、仕切りにより仕切られた全て同じ温度または異なる温度に商品を冷却／加温貯蔵する複数の商品収納室と、内扉の複数の収納室に対応する位置に設けた複数の商品搬出口とを備え、全ての商品搬出口を一つの商品搬出扉で閉塞することにより、商品収納室ごとに商品搬出扉、レール、ギア、モーターを備える必要が無く、商品搬出扉を安価で簡単に構成することができ、安価で効率の高い自動販売機とすることができる。
【００４９】
以下、本発明の実施の形態について、図面を参照しながら説明する。なお、この実施の形態によってこの発明が限定されるものではない。
【００５０】
（実施の形態１）
図１は本発明の実施の形態１による自動販売機の斜視図である。図２は同実施の形態の自動販売機の商品取り出し口付近の縦断面図である。
【００５１】
図１、図２において、断熱箱体１３は前面に開口部１４を備え、内部に仕切り１５により仕切られた、３つの商品収納室１６、１７、１８を備えており、開口部１４の一部を内扉１９、開口部１４全体を外扉２０により閉塞している。
【００５２】
商品収納室１６、１７、１８内には、商品販売時に商品を搬出する商品搬出装置２１と商品シュート２２、商品を冷却／加温するための冷却器２３、ヒーター２４及びファン２５とからなる冷却／加温手段２６を備えている。
【００５３】
内扉１９には各商品収納室１６、１７、１８に対応した位置に断熱箱体１３内部と外部を連通し、下辺を断熱箱体１３の内側から外側に向かって傾斜させた商品搬出口２７、２８、２９を備えている。
【００５４】
内扉１９には、断熱部材により構成され、ギア部３０を持つレール３１を備え、その端部が断熱箱体１３側が広くなるように面取りされ、断熱箱体１３の幅とほぼ同じ幅であるとともに、商品搬出口２７、２８、２９に対応する位置のみ内扉１９の幅だけ断熱箱体１３側へ凸の形状となるような商品搬出扉３２が、商品搬出口２７、２８、２９に対して垂直方向に往復同時材に保持されている。
【００５５】
そして、内扉１９には、ギア部３０と歯合するギア３３及び商品収納室１６、１８内で且つ商品搬出口２７、２９の外側に設けギアを駆動するモーター３４を備えており、モーター３４の駆動により商品搬出扉３２は商品搬出口２７、２８、２９を開放／閉塞するように動作する。
【００５６】
モーター３４は制御手段３５により、商品シュート２２の動作と連動して商品搬出扉３２を開閉駆動する。
【００５７】
商品搬出扉３２と商品搬出口２７、２８、２９のシール部には例えば軟質ポリプロピレンなどの弾性材料により構成されるガスケット３６を設けており、シール部のすき間をシールしている。
【００５８】
そして、商品搬出扉３２が開いた時には商品搬出扉３２は外扉２０と密着する位置まで動作するように構成されている。
【００５９】
外扉２０には商品搬出扉３２に対応する位置に、搬出された商品を取り出す商品取り出し口３７を備えているとともに、商品搬出扉３２の下端よりも少なくとも商品の太さだけ下方向に商品受け３８を備えている。
【００６０】
商品取り出し口３７には上端部をピン３９により回動自在に軸支された商品取り出し扉４０及び商品取り出し扉４０が開いたことを検出してモーター３４への駆動電力を遮断する電力遮断スイッチ４１を備えている。
【００６１】
また、外扉２０の内側には、図示しない販売する商品を陳列するディスプレイ、商品販売用押し釦、硬貨、紙幣を判別するコインメカ、ビルバリを備えているが、商品搬出扉３２の往復動を妨げない位置に配設されている。
【００６２】
以上のように構成された自動販売機について、以下その動作、作用を説明する。
【００６３】
販売待機時には、商品搬出扉３２は商品搬出口２７、２８、２９を閉塞する位置に保持されており、ガスケット３６によってシール部のすき間をシールしている。
【００６４】
そして商品販売時には商品搬出装置２１の動作と共にモーター３４が駆動し、商品搬出扉３２を開き商品が商品シュート２２から対応する商品搬出口２７、２８、２９を通り商品受け３８に到達する十分な時間Ｔ秒経過後に再度モーター３４が逆方向に駆動し商品搬出扉３２を閉じる。
【００６５】
販売待機時には商品搬出扉３２の凸部は商品搬出口２７、２８、２９を閉塞している。この時商品搬出口２７、２８、２９は断熱材部材で構成された商品搬出扉３２の凸部で閉塞されると共に、シール部はガスケット３６によりシールされているため、商品搬出口２７、２８、２９部で断熱性能が低下することはなく、商品搬出口２７、２８、２９からの熱ロスが増大することはない。
【００６６】
従って、効率の高い自動販売機とすることができる。
【００６７】
また、モーター３４は商品搬出口２７、２９の外側に設けているので、商品搬出扉３２を駆動するモーター３４は商品搬出経路の外側にあり、商品が搬出される際に商品がモーター３４に当たることはなく、商品の搬出を邪魔することはない。
【００６８】
また、商品搬出口２７、２８、２９はその下辺が断熱箱体１３の内側から外側に向かって下方向に傾斜しているため、商品販売時に内扉１９の商品搬出口２７、２８、２９部で商品が引っ掛かり、商品を搬出できないということはない。
【００６９】
従って、商品搬出の信頼性の高い自動販売機とすることができる。
【００７０】
また、商品搬出扉３２は閉じている時は内扉１９と密着し、開いた時は外扉２０と密着するため、常に商品収納室１６、１７、１８内に手を入れることは不可能であり、ファン２５やヒーター２４や加熱されたその他の部品に触れて火傷や怪我をする恐れはない。
【００７１】
また、商品取り出し扉４０が開いている時には電力遮断スイッチ４１によってモーター３４の駆動電力を遮断するため、商品取り出し扉４０の内側に手が入っている時に商品搬出扉３２が開き外扉２０と商品搬出扉３２の間に手を挟んで怪我をすることはない。
【００７２】
また、商品搬出扉３２はその端部が断熱箱体１３側が広くなるように面取りされており、販売待機時に商品搬出扉３２が閉じている時には商品搬出扉３２に指などを引っかけて商品搬出扉３２を開くことは不可能である。
【００７３】
従って、安全性及び防盗性の高い自動販売機とすることができる。
【００７４】
また、複数の商品搬出口２７、２８、２９に対して一つの商品搬出扉３２を動作させ商品の販売ができることにより、商品搬出口２７、２８、２９の数だけ商品搬出扉３２、ギア３３、モーター３４を備える必要が無く、少ない部品点数で断熱性能、安全性、防盗性の向上を図ることができる。
【００７５】
従って、安価で効率、安全性、防盗性の高い自動販売機とすることができる。
【００７６】
なお、本実施の形態においては、商品収納室を３室として説明したが、商品収納室の数と本発明の効果に関係はなく、何室の自動販売機においても同様の効果が得られる。
【００７７】
また、本実施の形態においては、商品搬出扉は複数の商品収納室に対して一つで構成したが、一つの商品収納室に対して一つの商品搬出扉を設けることにより、商品販売時に、実際には販売しない商品収納室からの熱の漏れを防止することができ、部品点数は増えるが、本実施の形態に比べてさらに効率の高い自動販売機とすることができる。
【００７８】
また、本実施の形態に置いては、商品搬出扉を駆動する方法としてギアとモーターを用いたが、ゼンマイとモーター、リニアモーターなど、往復動が可能な方法であればどのような方法を用いても同様の効果が得られる。
【産業上の利用可能性】
【００７９】
以上のように、本発明にかかる自動販売機は、商品搬出口を往復動で閉塞／開放する商品搬出扉を用いて断熱することにより断熱性能を高めることができるので、室内を冷却／加温し、室内と室外を連通する連通口及び連通口を閉塞する扉を持った機器ならあらゆる機器に適用できる。
【図面の簡単な説明】
【００８０】
【図１】本発明の実施の形態１による自動販売機の斜視図
【図２】同実施の形態の自動販売機の商品取り出し口付近の縦断面図
【図３】従来の自動販売機の商品取り出し口付近の縦断面図
【符号の説明】
【００８１】
１３  断熱箱体
１４  開口部
１６、１７、１８商品収納室
１９  内扉
２１  商品搬出装置
２６  冷却／加温手段
２７、２８、２９  商品搬出口
３０  ギア部
３１  レール
３２  商品搬出扉
３３  ギア
３４  モーター
３５  制御手段
３６  ガスケット
３７  商品取り出し口
４０  商品取り出し扉
４１  電力遮断スイッチ
【図１】
2006163778.tif 000003
【図２】
2006163778.tif 000004
【図３】
2006163778.tif 000005